(57)【要約】【課題】  高倍率かつアイレリーフが長く、高い光学性能を有するファインダー光学系を得ること。【解決手段】  画像表示面に表示された画像を観察するためのファインダー光学系であって、前記ファインダー光学系は、画像表示面から観察側へ順に配置された、正の屈折力の第１レンズ、負の屈折力の第２レンズ、正の屈折力の第３レンズ、正の屈折力の第４レンズを有し、前記第１レンズの材料の屈折率ｎｄ１、前記第２レンズの材料の屈折率ｎｄ２、前記第１レンズの焦点距離ｆ１、前記ファインダー光学系の焦点距離ｆ等を適切に設定したこと。【選択図】  図１
2020170022.tif 000002
【特許請求の範囲】
【請求項１】
画像表示面に表示された画像を観察するためのファインダー光学系であって、
前記ファインダー光学系は、画像表示面から観察側へ順に配置された、正の屈折力の第１レンズ、負の屈折力の第２レンズ、正の屈折力の第３レンズ、正の屈折力の第４レンズを有し、
前記第１レンズの材料の屈折率をｎｄ１、前記第２レンズの材料の屈折率をｎｄ２、前記第１レンズの焦点距離をｆ１、前記ファインダー光学系の焦点距離をｆとするとき、
１．７００＜ｎｄ１
ｎｄ２＜１．７００
ｆ１／ｆ＜０．９０
なる条件式を満たすことを特徴とするファインダー光学系。
【請求項２】
前記第１レンズの画像表示面側のレンズ面の曲率半径をＲ１１、前記第１レンズの観察側のレンズ面の曲率半径をＲ１２とするとき、
０．０＜（Ｒ１１＋Ｒ１２）／（Ｒ１１−Ｒ１２）＜２．０
なる条件式を満たすことを特徴とする請求項１に記載のファインダー光学系。
【請求項３】
前記第３レンズの焦点距離をｆ３、前記第４レンズの焦点距離をｆ４とするとき、
０．５＜ｆ４／ｆ３＜１０．０
なる条件式を満たすことを特徴とする請求項１又は２に記載のファインダー光学系。
【請求項４】
前記第１レンズの観察側のレンズ面の曲率半径をＲ１２、前記第２レンズの画像表示面側の曲率半径をＲ２１とするとき、
−８．５＜（Ｒ２１＋Ｒ１２）／（Ｒ２１−Ｒ１２）＜０．０
なる条件式を満たすことを特徴とする請求項１乃至３のいずれか１項に記載のファインダー光学系。
【請求項５】
前記第３レンズの焦点距離をｆ３とするとき、
０．６＜ｆ３／ｆ＜３．０
なる条件式を満たすことを特徴とする請求項１乃至４のいずれか１項に記載のファインダー光学系。
【請求項６】
前記第２レンズの焦点距離をｆ２とするとき、
−１．０＜ｆ２／ｆ＜−０．３
なる条件式を満たすことを特徴とする請求項１乃至５のいずれか１項に記載のファインダー光学系。
【請求項７】
前記第３レンズの観察側のレンズ面の曲率半径をＲ３２、前記第４レンズの画像表示面側のレンズ面の曲率半径をＲ４１とするとき、
０．４＜（Ｒ４１＋Ｒ３２）／（Ｒ４１−Ｒ３２）＜６．０
なる条件式を満たすことを特徴とする請求項１乃至６のいずれか１項に記載のファインダー光学系。
【請求項８】
前記第４レンズの観察側に正の屈折力の第５レンズを有することを特徴とする請求項１乃至７のいずれか１項に記載のファインダー光学系。
【請求項９】
画像を表示する画像表示素子と、該画像表示素子の画像表示面に表示される画像を観察するために用いられる請求項１乃至８のいずれか１項に記載のファインダー光学系を有することを特徴とする観察装置。
【請求項１０】
前記画像表示素子の画像表示面の対角長をＨとするとき、
０．３０＜Ｈ／ｆ＜０．４５
なる条件式を満たすことを特徴とする請求項９に記載の観察装置。
【請求項１１】
物体像を撮像する撮像光学系と、前記撮像光学系で撮像された物体像を表示する画像表示素子と、該画像表示素子で表示される画像を観察するための請求項９または１０に記載の観察装置を有することを特徴とする撮像装置。
【発明の詳細な説明】
【技術分野】
【０００１】
本発明は、ファインダー光学系及びそれを有する観察装置、撮像装置に関し、例えばビデオカメラ、スチルカメラ、放送用カメラに用いられる電子ビューファインダーにおいて、画像表示素子に表示される画像を観察するのに好適なものである。
【背景技術】
【０００２】
従来、液晶パネルなどの画像表示素子に表示された画像を観察するため、複数枚のレンズを用いたファインダー光学系が知られている。これらファインダー光学系は視認性を高めるため、観察視野角が十分に広く（高倍率化）、アイレリーフが長く、諸収差が良好に補正され、高い光学性能を有することが求められている。
【０００３】
また、昨今のカメラなどの撮像装置に用いられる観察装置では、画像表示素子の画像表示面の対角長が２０ｍｍ以下の比較的小型な画像表示素子を用いてこれらの要求を満たすことが望まれている。
【０００４】
従来高倍率のファインダー光学系としては、画像表示面より観察側（アイポイント側）に向かって、正の屈折力のレンズ、負の屈折力のレンズ、正の屈折力のレンズ、正の屈折力のレンズの４枚のレンズを有するものが知られている（特許文献１、２）。
【０００５】
特許文献１では、正の屈折力の第１レンズ、負の屈折力の第２レンズ、正の屈折力の第３レンズ、正の屈折力の第４レンズからなり、第３レンズ、第４レンズの焦点距離を適切に設定した接眼光学系が提案されている。
【０００６】
また特許文献２では、正の屈折力の第１レンズ、正レンズ及び負レンズを含む２枚または３枚のレンズ、正の屈折力の最終レンズの全体として４枚または５枚のレンズよりなる接眼レンズが提案されている。
【先行技術文献】
【特許文献】
【０００７】
【特許文献１】特開２０１５−７５７１３号公報
【特許文献２】特開２０１８−２８６３２号公報
【発明の概要】
【発明が解決しようとする課題】
【０００８】
観察装置に用いられるファインダー光学系において、観察倍率が高く（観察視野角が大きく）、しかもアイレリーフを長く確保しつつ良好な光学性能を得るには、ファインダー光学系のレンズ構成及び各レンズの屈折力等を適切に設定することが重要になってくる。この他、各レンズの材料の屈折率を適切に設定することも重要になってくる。更に小型の画像表示面を有する画像表示素子を用いるときは、画像表示面の大きさに対するファインダー光学系の屈折力の比率を適切に設定することが重要になってくる。
【０００９】
特許文献１で開示された接眼光学系においては、アイレリーフが必ずしも十分でなく、また諸収差（球面収差、像面収差、非点収差、コマ収差）が多少残存している。
【００１０】
また特許文献２で開示された接眼レンズにおいては、レンズの材料に高屈折材料が多く使用されているが必ずしも光学性能が十分でなかった。
【００１１】
本発明は、高倍率かつアイレリーフが長く、高い光学性能を有するファインダー光学系の提供を目的とする。
【課題を解決するための手段】
【００１２】
本発明のファインダー光学系は、画像表示面に表示された画像を観察するためのファインダー光学系であって、
前記ファインダー光学系は、画像表示面から観察側へ順に配置された、正の屈折力の第１レンズ、負の屈折力の第２レンズ、正の屈折力の第３レンズ、正の屈折力の第４レンズを有し、
前記第１レンズの材料の屈折率をｎｄ１、前記第２レンズの材料の屈折率をｎｄ２、前記第１レンズの焦点距離をｆ１、前記ファインダー光学系の焦点距離をｆ
とするとき、
１．７００＜ｎｄ１
ｎｄ２＜１．７００
ｆ１／ｆ＜０．９０
なる条件式を満たすことを特徴としている。
【発明の効果】
【００１３】
本発明によれば高倍率かつアイレリーフが長く、高い光学性能を有するファインダー光学系を得ることができる。
【図面の簡単な説明】
【００１４】
【図１】実施例１のファインダー光学系のレンズ断面図
【図２】実施例１のファインダー光学系の各収差図
【図３】実施例２のファインダー光学系のレンズ断面図
【図４】実施例２のファインダー光学系の各収差図
【図５】実施例３のファインダー光学系のレンズ断面図
【図６】実施例３のファインダー光学系の各収差図
【図７】実施例４のファインダー光学系のレンズ断面図
【図８】実施例４のファインダー光学系の各収差図
【図９】実施例５のファインダー光学系のレンズ断面図
【図１０】実施例５のファインダー光学系の各収差図
【図１１】実施例６のファインダー光学系のレンズ断面図
【図１２】実施例６のファインダー光学系の各収差図
【図１３】撮像装置の要部概略図
【発明を実施するための形態】
【００１５】
以下、本発明のファインダー光学系について、添付の図面に基づいて説明する。
【００１６】
本発明のファインダー光学系は画像表示面に表示された画像を観察するためのファインダー光学系である。ファインダー光学系は、画像表示面から観察側へ順に配置された、正の屈折力の第１レンズ、負の屈折力の第２レンズ、正の屈折力の第３レンズ、正の屈折力の第４レンズを有している。尚、第４レンズの観察面側に正の屈折力の第５レンズを有する場合もある。
【００１７】
図１は、視度−１．０ディオプター（基準状態）における、実施例１のファインダー光学系のレンズ断面図である。図２は、数値実施例１のファインダー光学系の基準状態における収差図である。
【００１８】
図３は、視度−１．０ディオプターにおける、実施例２のファインダー光学系のレンズ断面図である。図４は、実施例２のファインダー光学系の基準状態における収差図である。
【００１９】
図５は、視度−１．０ディオプターにおける、実施例３のファインダー光学系のレンズ断面図である。図６は、実施例３のファインダー光学系の基準状態における収差図である。
【００２０】
図７は、視度−１．０ディオプターにおける、実施例４のファインダー光学系のレンズ断面図である。図８は、実施例４のファインダー光学系の基準状態における収差図である。
【００２１】
図９は、視度−１．０ディオプターにおける、実施例５のファインダー光学系のレンズ断面図である。図１０は、実施例５のファインダー光学系の基準状態における収差図である。
【００２２】
図１１は、視度−１．０ディオプターにおける、実施例６のファインダー光学系のレンズ断面図である。図１２は、実施例６のファインダー光学系の基準状態における収差図である。
【００２３】
図１３は、本発明の観察装置を有する撮像装置の要部概略図である。
【００２４】
レンズ断面図において、Ｌ０はファインダー光学系、１は画像表示素子の画像表示面である。Ｇ１はファインダー光学系Ｌ０の第１レンズ、Ｇ２はファインダー光学系Ｌ０の第２レンズ、Ｇ３はファインダー光学系Ｌ０の第３レンズ、Ｇ４はファインダー光学系Ｌ０の第４レンズである。Ｇ５はファインダー光学系Ｌ０の第５レンズである。１０はファインダー光学系Ｌ０を保護する保護部材、ＥＰは観察側のアイポイント位置（観察面）を示す。ここで、観察側の最終レンズ面から観察面ＥＰまでの距離がアイレリーフである。
【００２５】
また収差図において、球面収差図では実線のｄはｄ線（波長５８７．５６ｎｍ）、点線のＦはＦ線（波長４８６．１３ｎｍ）、一点鎖線のｃはｃ線（波長６５６．２７ｎｍ）、二点鎖線のｇはｇ線（波長４３５．８４ｎｍ）に対する球面収差を示している。
【００２６】
非点収差図において、実線のＳはｄ線のサジタル像面、点線のＭはｄ線のメリディオナル像面における像面湾曲を示している。歪曲収差はｄ線について示している。色収差図ではｄ線（波長５８７．５６ｎｍ）を基準とした際の、Ｆ線（波長４８６．１３ｎｍ）、ｃ線（波長６５６．２７ｎｍ）、ｇ線（波長４３５．８４ｎｍ）における色収差を示している。
【００２７】
画像表示面の対角長が約２０ｍｍ以下の小型の表示パネル（画像表示素子）を視野角３０度以上の広い視野で観察するためには、ファインダー光学系全体で強い正の屈折力を持つ必要がある。そのためには各レンズには強い正の屈折力、または強い負の屈折力が必要となる。
【００２８】
また、アイレリーフを長くするためには、ファインダー光学系のＦナンバーを明るくする必要があり、そのためにはファインダー光学系の光線有効範囲を広くとる必要がある。そうすると多くの場合、球面収差、像面湾曲、非点収差、色収差等の諸収差の補正が難しくなり、特に物体側の周辺像高において光学性能が低下してくる。
【００２９】
そこで本発明のファインダー光学系Ｌ０では、前述の如く、４つのレンズを有する構成とし、かつ最適な屈折力配置を設定している。これにより高倍率かつアイレリーフが長く、高い光学性能を有したファインダー光学系を実現している。
【００３０】
各実施例のファインダー光学系は、第１レンズＧ１の材料の屈折率をｎｄ１、第２レンズＧ２の材料の屈折率をｎｄ２、第１レンズＧ１の焦点距離をｆ１、ファインダー光学系Ｌ０の焦点距離をｆ
とする。このとき、
１．７００＜ｎｄ１      ・・・（１）
ｎｄ２＜１．７００      ・・・（２）
ｆ１／ｆ＜０．９０      ・・・（３）
なる条件を満たす。
【００３１】
以下、条件式（１）乃至（３）の技術的意味について説明する。
【００３２】
条件式（１）は、ファインダー光学系Ｌ０の第１レンズＧ１の材料の屈折率を規定している。球面収差、像面湾曲、非点収差等の諸収差が良好に補正された上で高倍率化かつアイレリーフを長くするためには、各レンズに高屈折材料を使用することが必要となる。しかし一般に全てのレンズに高屈折材料を使用することは例えば色収差の補正より困難である。そのため、高屈折材料よりなるレンズはなるべく少ない方がよい。
【００３３】
小型の画像表示素子の画像表示面を拡大して観察するファインダー光学系は、一般に画像表示面から離れるほどレンズの光線有効範囲が拡大するため、レンズの有効径が大きくなる。一方、レンズの有効径が大きくなると、レンズ自体の体積が指数関数的に増加することに加え、使用できる成型機が限られてくることから、製造が困難になる。そのため、各実施例では第１レンズＧ１に高屈折材料を用いることで諸収差が良好に補正された上で、高倍率かつアイレリーフの長いファインダー光学系を実現している。
【００３４】
条件式（１）の下限値を超えると、第１レンズＧ１のレンズ面の曲率の形状が急になることにより球面収差、像面湾曲、非点収差等の諸収差の補正が困難になる。
【００３５】
また条件式（１）について、好ましくは以下の条件式（１ａ）を満たすことが好ましい。
【００３６】
１．７００＜ｎｄ１＜１．９００      ・・・（１ａ）
また条件式（１ａ）について、さらに好ましくは以下の条件式（１ｂ）を満たすことが好ましい。
【００３７】
１．７２０＜ｎｄ１＜１．８５０      ・・・（１ｂ）
条件式（２）は、ファインダー光学系Ｌ０の第２レンズＧ２の材料の屈折率を規定している。第２レンズＧ２は負の屈折力を有するが、ファインダー光学系Ｌ０は全体として強い正の屈折力を持つため、負の屈折力を持つ第２レンズＧ２の材料の屈折率を下げなければペッツバール和の補正が困難になる。そのため条件式（２）の上限値を超えると像面湾曲、非点収差が増加してくる。
【００３８】
また条件式（２）について、好ましくは以下の条件式（２ａ）を満たすことが好ましい。
【００３９】
１．５８０＜ｎｄ２＜１．７００      ・・・（２ａ）
また条件式（２ａ）について、さらに好ましくは以下の条件式（２ｂ）を満たすことが好ましい。
【００４０】
１．６２０＜ｎｄ２＜１．７００      ・・・（２ｂ）
条件式（３）は、ファインダー光学系Ｌ０の第１レンズＧ１の焦点距離を規定している。条件式（３）はファインダー光学系Ｌ０の高倍率化を図りつつ球面収差、像面湾曲、非点収差等の諸収差を良好に補正するためのものである。条件式（３）の上限値を超えると、第１レンズＧ１の正の屈折力が弱くなり、球面収差、像面湾曲、非点収差等の諸収差の補正が不十分となるため、好ましくない。
【００４１】
また条件式（３）について、好ましくは以下の条件式（３ａ）を満たすことが好ましい。
【００４２】
０．４０＜ｆ１／ｆ＜０．９０      ・・・（３ａ）
また条件式（３ａ）について、さらに好ましくは以下の条件式（３ｂ）を満たすことが好ましい。
【００４３】
０．５０＜ｆ１／ｆ＜０．８８      ・・・（３ｂ）
各実施例のファインダー光学系において更に好ましくは次の条件式のうち１以上を満足するのが良い。
【００４４】
第１レンズＧ１の画像表示面側のレンズ面の曲率半径をＲ１１、第１レンズＧ１の観察側のレンズ面の曲率半径をＲ１２とする。第３レンズＧ３の焦点距離をｆ３、第４レンズＧ４の焦点距離をｆ４とする。第２レンズＧ２の画像表示面側のレンズ面曲率半径をＲ２１とする。第２レンズＧ２の焦点距離をｆ２とする。
【００４５】
第３レンズＧ３の観察側のレンズ面の曲率半径をＲ３２、第４レンズＧ４の画像表示面側のレンズ面の曲率半径をＲ４１とする。画像を表示する画像表示素子と、該画像表示素子の画像表示面に表示される画像を観察するために用いられるファインダー光学系を有する観察装置において、画像表示素子の画像表示面の対角長をＨとする。
【００４６】
このとき次の条件式のうち１つ以上を満足するのが良い。
【００４７】
０．０＜（Ｒ１１＋Ｒ１２）／（Ｒ１１−Ｒ１２）＜２．０    ・・・（４）
０．５＜ｆ４／ｆ３＜１０．０                              ・・・（５）
−８．５＜（Ｒ２１＋Ｒ１２）／（Ｒ２１−Ｒ１２）＜０．０  ・・・（６）
０．６＜ｆ３／ｆ＜３．０                                  ・・・（７）
−１．０＜ｆ２／ｆ＜−０．３                              ・・・（８）
０．４＜（Ｒ４１＋Ｒ３２）／（Ｒ４１−Ｒ３２）＜６．０    ・・・（９）
０．３０＜Ｈ／ｆ＜０．４５                                ・・・（１０）
以下、条件式（４）乃至（１０）の技術的意味について説明する。
【００４８】
条件式（４）は第１レンズＧ１のレンズ形状を規定し、主に球面収差、像面湾曲、非点収差などの諸収差を良好に補正し、広い視野角を確保しつつアイポイントを長くするためのものである。条件式（４）の上限値を超えると第１レンズＧ１の画像表示面側のレンズ面の曲率形状が急になることにより球面収差、像面湾曲、非点収差などの諸収差の補正が不十分になるため、好ましくない。条件式（４）の下限値を下回ると、画像表示面側のテレセントリック性が崩れることによって周辺光量が低下し、アイポイントが短くなってしまうため、好ましくない。
【００４９】
条件式（５）は、第３レンズＧ３の焦点距離と第４レンズＧ４の焦点距離の比を規定する式であり、主に像面湾曲、非点収差を良好に補正し、誤差敏感度を低減させるためのものである。条件式（５）の上限値を超えると、ファインダー光学系Ｌ０の誤差敏感度が増加するため、好ましくない。条件式（５）の下限値を超えると、像面湾曲、非点収差が増加してしまい、好ましくない。
【００５０】
条件式（６）は、第１レンズＧ１と第２レンズＧ２とで形成される空気間隔の形状を規定しており、主に球面収差、像面湾曲、非点収差、色収差などの諸収差を良好に補正し、広い視野角を確保しつつアイポイントを長くするためのものである。
【００５１】
条件式（６）の上限値を超えると、第２レンズＧ２の画像表示面側のレンズ面の曲率の形状が急になることにより、球面収差、像面湾曲、非点収差などの諸収差の補正が困難になり、好ましくない。条件式（６）の下限値を超えると、第１レンズＧ１の観察側のレンズ面と第２レンズＧ２の画像表示面側のレンズ面が近くなり、像面湾曲、非点収差、色収差の補正が不十分になるため好ましくない。
【００５２】
条件式（７）は、第３レンズＧ３の焦点距離を規定しており、主に像面湾曲、非点収差を良好に補正し、誤差敏感度を低減させるためのものである。条件式（７）の上限値を超えると、ファインダー光学系Ｌ０の誤差敏感度が増加するため、好ましくない。条件式（７）の下限値を超えると、像面湾曲、非点収差が増加するため、好ましくない。
【００５３】
条件式（８）は、第２レンズＧ２の焦点距離を規定しており、主に球面収差、像面湾曲、非点収差、色収差などの諸収差を良好に補正し、広い視野角を確保しつつアイポイントを長くするためのものである。条件式（８）の上限値を超えると、第２レンズＧ２の負の屈折力が過剰に強くなる（負の屈折力の絶対値が大きくなる）ことによって球面収差、像面湾曲、非点収差、色収差などの諸収差が増加するため、好ましくない。条件式（８）の下限値を超えると、第２レンズＧ２の負の屈折力が弱くなる（負の屈折力が小さくなる）ことによりペッツバール和の補正が困難になり、像面湾曲、非点収差が増加するため好ましくない。
【００５４】
条件式（９）は、第３レンズＧ３と第４レンズＧ４とで形成される空気間隔の形状を規定しており、主に像面湾曲、非点収差を良好に補正し、誤差敏感度を低減させるためのものである。条件式（９）の上限値を超えると、像面湾曲、非点収差が増加するため、好ましくない。条件式（９）の下限値を超えると、誤差敏感度が増加するため、好ましくない。
【００５５】
条件式（１０）は画像表示面の最大像高とファインダー光学系の焦点距離の関係を規定し、主に広い視野角を確保しつつ球面収差、像面湾曲、非点収差等の諸収差を良好に補正するためのものである。条件式（１０）の上限値を超えると、ファインダー光学系の倍率が過剰に大きくなり球面収差、像面湾曲、非点収差等の諸収差を補正することが困難になるため、好ましくない。条件式（１０）の下限値を超えると、広い視野角を実現することが困難になるため、好ましくない。
【００５６】
また好ましくは条件式（４）乃至（１０）について、以下の条件式（４ａ）乃至（１０ａ）の数値範囲にあることでより発明の効果が得られるようになる。
【００５７】
０．２＜（Ｒ１１＋Ｒ１２）／（Ｒ１１−Ｒ１２）＜１．７    ・・・（４ａ）
０．５＜ｆ４／ｆ３＜５．０                                ・・・（５ａ）
−８．０＜（Ｒ２１＋Ｒ１２）／（Ｒ２１−Ｒ１２）＜−２．０・・・（６ａ）
１．０＜ｆ３／ｆ＜３．０                                  ・・・（７ａ）
−０．９＜ｆ２／ｆ＜−０．４                              ・・・（８ａ）
０．５＜（Ｒ４１＋Ｒ３２）／（Ｒ４１−Ｒ３２）＜３．０    ・・・（９ａ）
０．３２＜Ｈ／ｆ＜０．４５                                ・・・（１０ａ）
またさらに好ましくは条件式（４ａ）乃至（１０ａ）について、以下の条件式（４ｂ）乃至（１０ｂ）の数値範囲にあることが好ましい。
【００５８】
０．２５＜（Ｒ１１＋Ｒ１２）／（Ｒ１１−Ｒ１２）＜１．６０  ・・・（４ｂ）
０．６０＜ｆ４／ｆ３＜４．００                              ・・・（５ｂ）
−７．５＜（Ｒ２１＋Ｒ１２）／（Ｒ２１−Ｒ１２）＜−２．０  ・・・（６ｂ）
１．０＜ｆ３／ｆ＜２．５                                    ・・・（７ｂ）
−０．９０＜ｆ２／ｆ＜−０．４５                            ・・・（８ｂ）
０．５＜（Ｒ４１＋Ｒ３２）／（Ｒ４１−Ｒ３２）＜２．８      ・・・（９ｂ）
０．３２＜Ｈ／ｆ＜０．４０                                  ・・・（１０ｂ）
実施例１乃至３、５、６のファインダー光学系Ｌ０は、画像表示面側より観察側へ順に、正の屈折力の第１レンズＧ１、負の屈折力の第２レンズＧ２、正の屈折力の第３レンズＧ３、正の屈折力の第４レンズＧ４より構成されている。
【００５９】
実施例４のファインダー光学系Ｌ０は、画像表示面側より観察側へ順に、正の屈折力の第１レンズＧ１、負の屈折力の第２レンズＧ２、正の屈折力の第３レンズＧ３、正の屈折力の第４レンズＧ４、正の屈折力の第５レンズより構成されている。
【００６０】
次に、各実施例に示したファインダー光学系を用いた撮像装置の実施形態について、図１３を用いて説明する。図１３は本発明のファインダー光学系を備える撮像装置の要部概略図である。撮像光学系１０１により形成された物体像は、光電変換素子である撮像素子１０２により電気信号に変換される。撮像素子１０２としては、ＣＣＤセンサやＣＭＯＳセンサなどが用いられる。
【００６１】
撮像素子１０２からの出力信号が画像処理回路１０３において処理され、画像が形成される。形成された画像は、半導体メモリ、磁気テープ、光ディスクなどの記録媒体１０４に記録される。また、画像処理回路１０３において形成された画像は、観察装置１０５に表示される。観察装置１０５は、画像表示素子１０５１及び各実施例のファインダー光学系１０５２を備える。画像表示素子１０５１は、液晶表示素子ＬＣＤや有機ＥＬ等から構成される。
【００６２】
このように本発明のファインダー光学系を、デジタルカメラやビデオカメラ等の撮像装置に適用することにより、広視野角かつ小型であり、高い光学性能を有する撮像装置を得ることができる。
【００６３】
以上、本発明の好ましい実施形態について説明したが、本発明はこれらの実施形態に限定されず、その要旨の範囲内で種々の変形及び変更が可能である。
【００６４】
次に、本発明の実施例１乃至６に対応する数値実施例１乃至６を示す。各数値実施例において、画像表示面ＩＰから観察側ＥＰへ順に「ｒｉ」は第ｉ番目の面の近軸曲率半径を示す。ｒ１は画像表示面である。最も観察側の２つの面は保護部材である。
【００６５】
ｄｉは画像表示面ＩＰから順に第ｉ番目の面と第ｉ＋１番目の面との間の軸上面間隔を示す。さらに、ｎｄｉは第ｉ番目の材料のｄ線（波長＝５７８．６ｎｍ）に対する屈折率を示し、νｄｉは第ｉ番目の材料のｄ線を基準としたアッベ数を示す。なお、ある材料のアッベ数νｄは、フラウンホーファ線のｄ線（５８７．６ｎｍ）、Ｆ線（４８６．１ｎｍ）、Ｃ線（６５６．３ｎｍ）における屈折率をＮｄ、ＮＦ、ＮＣとするとき、
νｄ＝（Ｎｄ−１）／（ＮＦ−ＮＣ）
で表される。
【００６６】
また、各数値実施例において近軸曲率半径の欄に非球面と書かれている面は次の（数１）によって定義される非球面形状である。
【００６７】
【数１】
2020170022.tif 000003
【００６８】
なお、（数１）において、ｘはレンズ面の頂点からの光軸方向の距離、ｈは光軸と垂直な方向の高さ、ｒはレンズ面の頂点での近軸曲率半径、Ｋは円錐定数、Ａ２、Ａ４、Ａ６、Ａ８、Ａ１０は多項式係数である。
【００６９】
非球面係数において、「Ｅ−ｉ」は１０を底とする指数表現、すなわち「１０−ｉ」を表している。
【００７０】
表１に各実施例１乃至６における上述の条件式の計算結果を示す。
【００７１】
数値実施例１
単位mm
【００７２】
【表１】
2020170022.tif 000004
【００７３】
【表２】
2020170022.tif 000005
【００７４】
【表３】
2020170022.tif 000006
数値実施例２
単位mm
【００７５】
【表４】
2020170022.tif 000007
【００７６】
【表５】
2020170022.tif 000008
【００７７】
【表６】
2020170022.tif 000009
数値実施例３
単位mm
【００７８】
【表７】
2020170022.tif 000010
【００７９】
【表８】
2020170022.tif 000011
【００８０】
【表９】
2020170022.tif 000012
数値実施例４
単位mm
【００８１】
【表１０】
2020170022.tif 000013
【００８２】
【表１１】
2020170022.tif 000014
【００８３】
【表１２】
2020170022.tif 000015
数値実施例５
単位mm
【００８４】
【表１３】
2020170022.tif 000016
【００８５】
【表１４】
2020170022.tif 000017
【００８６】
【表１５】
2020170022.tif 000018
数値実施例６
単位mm
【００８７】
【表１６】
2020170022.tif 000019
【００８８】
【表１７】
2020170022.tif 000020
【００８９】
【表１８】
2020170022.tif 000021
【００９０】
【表１９】
2020170022.tif 000022
【符号の説明】
【００９１】
１  画像表示面
Ｌ０  ファインダー光学系
Ｇ１  第１レンズ
Ｇ２  第２レンズ
Ｇ３  第３レンズ
Ｇ４  第４レンズ
Ｇ５  第５レンズ
ＥＰ  観察面
【図１】
2020170022.tif 000023
【図２】
2020170022.tif 000024
【図３】
2020170022.tif 000025
【図４】
2020170022.tif 000026
【図５】
2020170022.tif 000027
【図６】
2020170022.tif 000028
【図７】
2020170022.tif 000029
【図８】
2020170022.tif 000030
【図９】
2020170022.tif 000031
【図１０】
2020170022.tif 000032
【図１１】
2020170022.tif 000033
【図１２】
2020170022.tif 000034
【図１３】
2020170022.tif 000035